(57)【要約】【課題】デッキに尿素タンク、尿素供給装置及び給脂源ユニットを備える建設機械において、各部への良好なアクセス性を確保することが可能な技術の提供。【解決手段】  機体の前方側部に設けられたデッキにおいて、排ガス浄化用の尿素水を貯留する尿素タンク３０がデッキに配置される。尿素タンク３０に貯留された尿素水を供給する尿素供給装置５０が尿素タンク３０よりも後方に配置される。グリスを貯留するグリス缶１１１と、グリス缶１１１の上部に着脱可能に装着されるポンプユニット１１２とを含む給脂源ユニット１１が尿素タンク３０よりも後方に配置される。尿素供給装置５０は、機体の幅方向に関して給脂源ユニット１１と重なる位置において給脂源ユニット１１よりも機体の前後中心線寄りに配置される。【選択図】図３
2020007884.tif 000002
【特許請求の範囲】
【請求項１】
機体の前方側部に設けられたデッキにおいて、
排ガス浄化用の尿素水を貯留する尿素タンクが前記デッキに配置され、
前記尿素タンクに貯留された前記尿素水を供給する尿素供給装置が前記尿素タンクよりも後方に配置され、
グリスを貯留するグリス缶と、前記グリス缶の上部に着脱可能に装着されるポンプユニットとを含む給脂源ユニットが前記尿素タンクよりも後方に配置され、
前記尿素供給装置は、前記機体の幅方向に関して前記給脂源ユニットと重なる位置において前記給脂源ユニットよりも前記機体の前後中心線寄りに配置されることを特徴とする建設機械。
【請求項２】
前記給脂源ユニットを支持するための支持ブラケットが前記給脂源ユニットの前側あるいは後側に配置されることを特徴とする請求項１に記載の建設機械。
【請求項３】
前記尿素水を供給するための尿素配管は、前記尿素供給装置の上側において前記機体の前後方向に配索され、
前記グリスを供給するためのグリスホースは、前記尿素供給装置の下側において前記機体の前後方向に配索されることを特徴とする請求項１又は２に記載の建設機械。
【請求項４】
前記グリスホースを巻き取るホースリールが前記尿素タンクよりも前方に配置され、
前記グリスホースは、前記ポンプユニットから前記グリス缶の後側に向けて延び、前記グリス缶の後側で余長が確保された後、前記ホースリールへ向けて尿素供給装置の下側を通って前記機体の前後方向に配索されることを特徴とする請求項３に記載の建設機械。
【請求項５】
前記尿素タンク、前記尿素供給装置及び前記給脂源ユニットは、収納ボックスに収納されており、
前記収納ボックスの側面の一部は、開閉可能なサイドカバーで構成されており、
前記グリス缶は、前記サイドカバーを開放した場合に脱着可能な位置に配置されることを特徴とする請求項１から４のうちいずれかに記載の建設機械。
【発明の詳細な説明】
【技術分野】
【０００１】
本発明は、機体の前方側部に設けられたデッキに尿素タンク、尿素供給装置及び給脂源ユニットを備える建設機械に関する。
【背景技術】
【０００２】
従来の建設機械として、上部旋回体の前方右側部分（デッキ）において、尿素タンクと尿素タンクに貯留された尿素水を供給する尿素供給装置とを左右に並べて配置する構成が知られている。例えば、特許文献１では、還元剤タンク（４１）が供給ポンプ（４２）よりも機体の側方寄りに配置されている（特許文献１の図１参照）。
【０００３】
また、上部旋回体の前方右側部分において給脂装置（５０）を配置する構成も知られている（例えば、特許文献２の図３参照）。
【先行技術文献】
【特許文献】
【０００４】
【特許文献１】特開２０１５−１３７６１５号公報
【特許文献２】特開２０１６−１４５４７０号公報
【発明の概要】
【発明が解決しようとする課題】
【０００５】
ところで、排ガス規制に対応したエンジンを搭載するためには、デッキの前方右側部分に、給脂装置に加え、尿素タンク及び尿素供給装置を設置する必要がある。給脂装置、尿素タンク及び尿素供給装置の各部はメンテンナンスを要するため、各部への高いアクセス性が求められる。例えば、尿素供給装置は定期的なフィルタ交換を要するため、尿素供給装置へのアクセス性は重要である。
【０００６】
しかし、特許文献１の建設機械では、尿素供給装置が尿素タンクよりも機体の前後中心線寄りに配置されているため、尿素タンクの存在によって尿素供給装置へのアクセスが阻害される。よって、尿素供給装置へのアクセス性は必ずしも良いとはいえない。
【０００７】
そこで本発明は、デッキに尿素タンク、尿素供給装置及び給脂源ユニットを備える建設機械において、各部への良好なアクセス性を確保することを目的とする。
【課題を解決するための手段】
【０００８】
上記目的を達成するために、本発明は、機体の前方側部に設けられたデッキにおいて、排ガス浄化用の尿素水を貯留する尿素タンクが前記デッキに配置され、前記尿素タンクに貯留された前記尿素水を供給する尿素供給装置が前記尿素タンクよりも後方に配置され、グリスを貯留するグリス缶と、前記グリス缶の上部に着脱可能に装着されるポンプユニットとを含む給脂源ユニットが前記尿素タンクよりも後方に配置され、前記尿素供給装置は、前記機体の幅方向に関して前記給脂源ユニットと重なる位置において前記給脂源ユニットよりも前記機体の前後中心線寄りに配置されることを特徴とする建設機械を提供している。
【０００９】
ここで、前記給脂源ユニットを支持するための支持ブラケットが前記給脂源ユニットの前側あるいは後側に配置されるのが好ましい。
【００１０】
また、前記尿素水を供給するための尿素配管は、前記尿素供給装置の上側において前記機体の前後方向に配索され、前記グリスを供給するためのグリスホースは、前記尿素供給装置の下側において前記機体の前後方向に配索されるのが好ましい。
【００１１】
また、前記グリスホースを巻き取るホースリールが前記尿素タンクよりも前方に配置され、前記グリスホースは、前記ポンプユニットから前記グリス缶の後側に向けて延び、前記グリス缶の後側で余長が確保された後、前記ホースリールへ向けて尿素供給装置の下側を通って前記機体の前後方向に配索されるのが好ましい。
【００１２】
更に、前記尿素タンク、前記尿素供給装置及び前記給脂源ユニットは、収納ボックスに収納されており、前記収納ボックスの側面の一部は、開閉可能なサイドカバーで構成されており、前記グリス缶は、前記サイドカバーを開放した場合に脱着可能な位置に配置されるのが好ましい。
【発明の効果】
【００１３】
請求項１に記載の建設機械によれば、尿素供給装置は、機体の幅方向に関して給脂源ユニットと重なる位置において給脂源ユニットよりも前後中心線寄りに配置される。そのため、メンテナンス頻度の高い給脂源ユニットへのアクセス性を確保しつつ、給脂源ユニットを取り外した際の尿素供給装置へのアクセス性も確保される。よって、デッキに尿素タンク、尿素供給装置及び給脂源ユニットを備える建設機械において、各部への良好なアクセス性が確保される。
【００１４】
請求項２に記載の建設機械によれば、給脂源ユニットを支持するための支持ブラケットが給脂源ユニットの前側あるいは後側に配置されるため、給脂源ユニットの取り外し時において当該支持ブラケットが尿素供給装置へのアクセスを阻害せずに済む。
【００１５】
請求項３に記載の建設機械によれば、尿素配管が尿素供給装置の上側において機体の前後方向に配索され、グリスホースが尿素供給装置の下側において機体の前後方向に配索される。よって、尿素配管とグリスホースとが互いに干渉せずに済む。
【００１６】
請求項４に記載の建設機械によれば、グリスホースは、ポンプユニットから出てグリス缶の後側において余長が確保された後、尿素供給装置の下側を通ってホースリールへ向けて機体の前後方向に配索される。そのため、グリスホースに確保された余長を利用して、グリス缶の交換時にポンプユニットを取り外して別の場所に預けることができる。また、尿素供給装置の下側にグリスホースを通すことで、尿素供給装置の下側のデットスペースを活用することができる。
【００１７】
請求項５に記載の建設機械によれば、グリス缶は、デッキにおいてサイドカバーを開放した場合に脱着可能な位置に配置されるので、当該グリス缶を容易に交換することができる。
【図面の簡単な説明】
【００１８】
【図１】本発明の実施形態による油圧ショベルの概略斜視図。
【図２】油圧ショベルのデッキ付近を示す斜視図。
【図３】収納ボックスの内部を示す斜視図。
【図４】尿素供給装置（尿素供給ポンプ）を示す図。
【図５】図３のＶ矢視図。
【図６】図３のＶＩ矢視図。
【図７】図３の斜視図から尿素タンク及び尿素供給装置を除いた図。
【図８】図７のＶＩＩＩ矢視図。
【発明を実施するための形態】
【００１９】
＜１．実施形態＞
本発明の実施形態による建設機械について図１から図８に基づき説明する。以下、本発明に係る建設機械の一例として図１に示す油圧ショベル１を例示する。なお、説明の便宜上、機械の前後方向及び左右方向（幅方向）を図１のように定義する。
【００２０】
油圧ショベル１は、クローラ式の下部走行体２及び上部旋回体３（機体の一例）を備えて構成される。上部旋回体３は、下部走行体２上に搭載されており、下部走行体２に対して鉛直軸まわりに旋回可能である。
【００２１】
上部旋回体３は、図示しない旋回ベアリングに支持されるメインフレーム４（アッパーフレーム）を備える。メインフレーム４に対して、キャブ５、作業アタッチメント６、機械室７等が取り付けられている。キャブ５（運転室）は、上部旋回体３の前方左側部分に設けられている。作業アタッチメント６は、上部旋回体３の前方中央部分に設けられている。機械室７は、上部旋回体３の後部に設けられ、エンジンや各種の機器類が設置される。
【００２２】
メインフレーム４のうち前方右側部分に位置する部分が、デッキ４１として構成されている。デッキ４１上には収納ボックス８が設けられている。図２に示すように、収納ボックス８には、内部にアクセスするためのメンテナンス用のカバー８１〜８３が開閉可能に設けられている。
【００２３】
図２に示されるように、収納ボックス８の前面一部は、上下に回動して開閉するフロントカバー８１として構成されている。フロントカバー８１を開放することで、後述のホースリール１４（図３参照）の巻取り状況を視認したり、後述の尿素タンク３０（図３参照）の給水を行ったりすることが可能である。
【００２４】
また、収納ボックス８の後部右側面には、機械右側に回動して開閉するサイドカバー８２が設けられている。また、収納ボックス８の後部上面には、上下に回動して開閉する上面カバー８３が設けられている。サイドカバー８２及び上面カバー８３を開放することで、後述のグリス缶１１１を交換したり、後述の尿素供給装置５０（図３参照）のフィルタ交換をしたりすることが可能である。
【００２５】
次に、収納ボックス８に収納される各部について説明する。図３に示されるように、収納ボックス８には、給脂装置１０と、尿素タンク３０と、尿素供給装置５０とが設けられている。
【００２６】
給脂装置１０は、機械各部の回動部や摺動部にグリスを供給するために使用される装置である。図７及び図８に示されるように、給脂装置１０は、給脂源ユニット１１と、グリスホース１３Ａ，１３Ｂと、ホースリール１４と、グリスガン１５とを備える。
【００２７】
給脂源ユニット１１は、グリス缶１１１と、グリス缶１１１の上部に着脱可能に装着されるポンプユニット１１２とを備えている。グリス缶１１１はグリスを貯留するためのタンクであり、ポンプユニット１１２はグリス缶に貯留されたグリスを吸い上げて送り出す装置である。
【００２８】
給脂源ユニット１１は、給脂源ユニット１１の後側に配置される支持ブラケット１２により支持されている。図８に示されるように、支持ブラケット１２は、底板１２Ａと、底板１２Ａから上方に延びる縦板１２Ｂと、縦板１２Ｂに接続された二股の固定部１２Ｃとからなる。
【００２９】
底板１２Ａは載置面に対してボルトで固定される。縦板１２Ｂはグリス缶１１１の側面に沿ってグリス缶１１１と略同じ高さまで延びている。固定部１２Ｃは、グリス缶１１１とポンプユニット１１２との接続部分を挟む二股の板部材である。固定部１２Ｃの二股部分は、それぞれ、グリス缶１１１の上面にボルトで固定される。
【００３０】
グリスホース１３Ａは、ポンプユニット１１２とデッキ４１の前部に配置されたホースリール１４とを接続しており、グリス缶１１１から吸い上げたグリスをポンプユニット１１２からホースリール１４へ送るのに用いられる。
【００３１】
グリスホース１３Ｂは、ホースリール１４とグリスガン１５とを接続し、グリス缶１１１から送られてきたグリスをグリスガン１５へ送るのに用いられる。
【００３２】
グリスホース１３Ａは、図８に示されるように、ポンプユニット１１２からグリス缶１１１の後側に向けて一旦延び、グリス缶１１１の後側で余長ＥＬが確保された後、ホースリール１４へ向けて尿素供給装置５０（図３）の下側、さらに尿素タンク３０の下側を通って機体の前後方向に配索されている。
【００３３】
再度、図３を参照する。尿素タンク３０は、排ガス浄化用の尿素水を貯留して供給するためのタンクである。尿素タンク３０は、デッキ４１に設けられた尿素タンク設置台（図示せず）に設置され、略直方体状に構成されている。
【００３４】
尿素タンク３０の前面には、尿素水を補給するための給水口３１が、前方（より詳しくは前方斜め上方）を向いて設けられている。即ち、給水口３１は前方を向いている。
【００３５】
尿素タンク３０の上面には、タンク内の尿素水を取り出すための尿素配管３２が取り付けられた蓋部３３が装着されている。尿素配管３２は、後方の機械室７に設けられた排ガス浄化装置（図示せず）に向かって前後方向に配策されている。
【００３６】
尿素タンク３０の後方かつ尿素配管３２の下側には、尿素供給装置５０が設けられている。尿素供給装置５０は、尿素タンク３０に貯留された尿素水を吸い上げて不図示の排ガス浄化装置へ送り込むための供給ポンプである。
【００３７】
図４に示されるように、尿素供給装置５０の内部には、尿素タンク３０から吸い上げられた尿素水に含まれる異物を除去するための筒状のフィルタ５０ａが、筒軸方向に挿脱可能に収納されている。フィルタ５０ａの挿脱口は、尿素供給装置５０の下面に形成されており、キャップ５０ｂによって塞がれている。
【００３８】
フィルタ５０ａは、所定時間経過毎に交換する必要がある。そして、フィルタ５０ａの交換には、フィルタ５０ａの取り出しスペースが必要になる。そのため、図３に示されるように、本実施形態では、尿素供給装置５０の下側にスペースＳＰが確保されるように、尿素供給装置５０が配置されている。
【００３９】
続いて、上述した給脂装置１０、尿素タンク３０及び尿素供給装置５０のレイアウトについて説明する。
【００４０】
図５及び図６に示されるように、ホースリール１４及びグリスガン１５が最も前方に配置される。尿素タンク３０は、ホースリール１４及びグリスガン１５よりも後方、かつ、尿素供給装置５０及び給脂源ユニット１１（グリス缶１１１及びポンプユニット１１２）よりも前方に配置される。給脂源ユニット１１（グリス缶１１１及びポンプユニット１１２）は、尿素タンク３０よりも後方に配置される。
【００４１】
図５に示されるように、尿素供給装置５０は、機体の幅方向（左右方向）に関して給脂源ユニット１１（グリス缶１１１及びポンプユニット１１２）と重なる位置において給脂源ユニット１１よりも機体の前後中心線（機体内側）寄りに配置される。換言すれば、給脂源ユニット１１は、機体の幅方向に関して尿素供給装置５０よりも機体の側方（機体外側）寄りに配置される。
【００４２】
図６に示されるように、尿素配管３２は尿素供給装置５０の上側において機体の前後方向に配索される一方、グリスホース１３Ａは尿素供給装置５０の下側において機体の前後方向に配索される。
【００４３】
また、グリス缶１１１は、交換頻度が高いため、図３に示されるように、サイドカバー８２及び上面カバー８３を開放した場合に脱着可能な位置に配置される。これにより、グリス缶１１１からポンプユニット１１２を取り外し、グリス缶１１１を交換することが可能である。また、グリス缶１１１が取り外されると、そのスペースを利用して作業者が尿素供給装置５０に近づき、尿素供給装置５０のフィルタ５０ａ（図４）を交換することが可能である。なお、図３に示されるように、デッキ４１の右側面には、足場４３が設けられている。作業者は、この足場４３を利用してグリス缶１１１や尿素供給装置５０のメンテナンスを行う。
【００４４】
＜２．実施形態の効果＞
上述した実施形態による油圧ショベル１によれば、図５に示されるように、尿素供給装置５０は、機体の幅方向（左右方向）に関して給脂源ユニット１１（グリス缶１１１及びポンプユニット１１２）と重なる位置において給脂源ユニット１１よりも機体の前後中心線寄りに配置される。そのため、メンテナンス頻度の高い給脂源ユニット１１（グリス缶１１１）のアクセス性を確保しつつ、給脂源ユニット１１（グリス缶１１１）を取り外した際の尿素供給装置５０へのアクセス性も確保される。よって、デッキ４１に尿素タンク３０、尿素供給装置５０及び給脂源ユニット１１を備える油圧ショベル１において、各部への良好なアクセス性が確保される。
【００４５】
また、上述した実施形態による油圧ショベル１によれば、給脂源ユニット１１を支持するための支持ブラケット１２が給脂源ユニット１１の後側に配置される。そのため、給脂源ユニット１１の取り外し時において当該支持ブラケット１２が尿素供給装置５０へのアクセスを阻害せずに済む。
【００４６】
また、上述した実施形態による油圧ショベル１によれば、尿素配管３２が尿素供給装置５０の上側において機体の前後方向に配索され、グリスホース１３Ａが尿素供給装置５０の下側において機体の前後方向に配索される。よって、尿素配管３２とグリスホース１３Ａとが互いに干渉せずに済む。
【００４７】
また、上述した実施形態による油圧ショベル１によれば、グリスホース１３Ａは、ポンプユニット１１２から出てグリス缶１１１の後側において余長が確保された後、尿素供給装置５０の下側を通ってホースリール１４へ向けて機体の前後方向に配索される。このため、グリスホース１３Ａに確保された余長を用いて、グリス缶１１１の交換時にポンプユニット１１２を取り外し、別の場所に預けることが可能となり、結果として、メンテナンス性が向上する。また、グリスホース１３Ａが尿素供給装置５０の下側を通るように構成されているため、尿素供給装置５０の下側のデットスペースを有効活用することができる。
【００４８】
また、上述した実施形態による油圧ショベル１によれば、グリス缶１１１は、デッキ４１においてサイドカバー８２及び上面カバー８３を開放した場合に脱着可能な位置に配置される。そのため、グリス缶１１１を容易に交換することができる。
【００４９】
＜３．変形例＞
本発明による建設機械は上述した実施の形態に限定されず、特許請求の範囲に記載した範囲で種々の変形や改良が可能である。
【００５０】
例えば、上記実施形態では、支持ブラケット１２が給脂源ユニット１１の後側に配置される場合を例示したが、これに限定されず、給脂源ユニット１１の前側に配置されるようにしてもよい。この場合も、上記実施形態と同様に、給脂源ユニット１１の取り外し時において支持ブラケット１２が尿素供給装置５０へのアクセスを阻害せずに済む。
【００５１】
また、上記実施形態では、上面カバー８３が収納ボックス８の後部上面に設けられている場合を例示したが、これに限定されない。サイドカバー８２の開閉のみでグリス缶１１１を交換できるのであれば、上面カバー８３はなくてもよい。
【符号の説明】
【００５２】
１  油圧ショベル、２  下部走行体、３  上部旋回体、４  メインフレーム、５  キャブ
６  作業アタッチメント、７  機械室、８  収納ボックス、１０  給脂装置、
１１  給脂源ユニット、１２  支持ブラケット、１２Ａ  底板、１２Ｂ  縦板、
１２Ｃ  固定部、１３Ａ，１３Ｂ  グリスホース、１４  ホースリール、
１５  グリスガン、３０  尿素タンク、３１  給水口、３２  尿素配管、３３  蓋部、
４１  デッキ、５０  尿素供給装置、５０ａ  フィルタ、５０ｂ  キャップ、
８１  フロントカバー、８２  サイドカバー、８３  上面カバー、１１１  グリス缶、
１１２  ポンプユニット、ＥＬ  余長、ＳＰ  スペース
【図１】
2020007884.tif 000003
【図２】
2020007884.tif 000004
【図３】
2020007884.tif 000005
【図４】
2020007884.tif 000006
【図５】
2020007884.tif 000007
【図６】
2020007884.tif 000008
【図７】
2020007884.tif 000009
【図８】
2020007884.tif 000010